(57)【要約】【課題】装置自体をコンパクトにする。【解決手段】第２表示回転盤を回転させるための第２回転軸４３を、円筒形状から形成する。第１表示回転盤を回転させるための第１回転軸４２を第２回転軸４３に挿通し、ベアリング４５，４６を第２回転軸４３の両端部に取り付ける。ベアリング４５，４６により第１回転軸４２と第２回転軸４３とが同軸に保持される。第１及び第２回転軸４２、４３を含む回転盤駆動部を組み立てた後に、第２表示回転盤を第２回転盤用フランジ４１に、第１表示回転盤を第１回転盤用フランジ４０にそれぞれ組み付ける。第１回転軸４２と第２回転軸４３とが同軸に保持されるので、第１表示回転盤と第２表示回転盤とが同軸に、且つ個別に回転させることができる。【選択図】　　　　図３
2004057374.tif 000002
【特許請求の範囲】
【請求項１】
少なくとも１個のシンボルが配置された表示面を備えた円盤が複数設けられ、これら円盤を同軸に配置した遊技機用シンボル表示装置において、
前記円盤のそれぞれに設けられる複数の回転軸を、それぞれ外径が異なるように、且つ、外径が最も小さい回転軸を除く他の回転軸を中空から形成し、この中空から形成された回転軸に外径の小さい回転軸を挿通させることにより複数の円盤を同軸に保持し、複数の円盤の表示面のそれぞれを表示するようにしたことを特徴とする遊技機用シンボル表示装置。
【請求項２】
前記円盤を回転させるためのステッピングモータと、このステッピングモータの駆動力により回転する円盤の回転速度を減速させるための駆動減速手段とを設け、前記円盤の回転するステップ角度を小さくして、きめ細かな円盤の回転としたことを特徴とする請求項１記載の遊技機用シンボル表示装置。
【請求項３】
前記駆動減速手段を、外径の異なる複数のプーリから構成したことを特徴とする請求項２記載の遊技機用シンボル表示装置。
【請求項４】
前記駆動減速手段を、歯数の異なる複数の歯車から構成したことを特徴とする請求項２記載の遊技機用シンボル表示装置。
【請求項５】
前記表示面を備えた複数の円盤と、これら円盤のぞれぞれに取り付けられる複数の回転軸と、前記円盤を回転させるためのステッピングモータと、円盤の回転速度を減速させるための駆動減速手段とが一体化されたユニットとして構成されることを特徴とする請求項２〜４いずれか記載の遊技機用シンボル表示装置。
【発明の詳細な説明】
【０００１】
【発明の属する技術分野】
本発明は、例えば遊技機等に組み込まれ、ゲームを行う際の情報等を表示するための円盤型の遊技機用シンボル表示装置に関するものである。
【０００２】
【従来の技術】
遊技機用シンボル表示装置は、外周にシンボルを配列した複数の機械式リールを回転させるものや、ＣＲＴや液晶表示（ＬＣＤ）パネルにシンボルの移動する様子を表示して、擬似的にリールの回転を再現させるものがある。このような遊技機用シンボル表示装置は、スロットマシンやパチンコ機等の遊技機に一般的に組み込まれることが多い。
【０００３】
このような遊技機用シンボル表示装置の中には、例えばルーレット遊技機のように、例えば文字、図柄等によりルーレットゲームの内容が設けられた円盤をゲームの開始とともに回転させ、所定のタイミングで回転している円盤を停止させる円盤型のシンボル表示装置がある。このようなシンボル表示装置の場合には、予め遊技機の所定位置に設けられた指標により円盤上に設けられた文字や図柄等のいずれか１つを指し示すことで、そのゲームでの入賞の有無が決定される。なお、このような円盤型のシンボル表示装置は、ルーレット遊技機だけでなく、スロットマシン等に組み込まれ、例えば配当コインの倍率等を決定するサブゲーム時に用いられる。これにより、遊技性の富んだ遊技機を提供することが可能となる。
【０００４】
このような円盤型のシンボル表示装置の中には、外径の異なる２個の円盤体を同軸に配置して、これら２個の円盤体を回転させるものがある（例えば特開平７−３２３１１０号公報）。この場合、シンボルが表示された円盤部と、モータの駆動軸を固着するハブと、このハブから延設されたスポークとから構成された円盤体に、駆動用モータ及び駆動用モータを固定するための支持フレームが一体に組み込まれ、大円盤ユニット又は小円盤ユニットとしてそれぞれユニット化されている。なお、大円盤ユニットは遊技機の内部に設けられた補助支持板に、小円盤ユニットは遊技盤の内壁面にそれぞれ取り付けられる。このような構成とすることで、複数個の回転体を含む大小円盤ユニットの重みを１つの支持フレームに集中させずに分散させることが可能になるとともに、それぞれのユニットを容易に組み立てることができる。
【０００５】
【発明が解決しようとする課題】
しかしながら、このような複数の円盤ユニットを有するシンボル表示装置をスロットマシン等に組み込む場合には、シンボル表示装置を組み込むスペースが小さいため、シンボル表示装置自体をコンパクトにする必要がある。上記シンボル表示装置の場合には、小円盤体を回転させるための駆動用モータは小円盤体の前面に、大円盤体を回転させるための駆動用モータは大円盤体の後面にそれぞれ取り付けられ、これらユニットを遊技機に組み付けると、大円盤ユニットの前面に形成された凹部に小円盤ユニットの後部が入り込む配置となる。このため、小円盤体を回転させるための駆動用モータを組み付ける際のスペースが必要となり、装置の奥行きが長くなる。また、小円盤ユニットと大円盤ユニットとを個別に遊技機の所定位置に取り付けるため、遊技機への組み付けは容易になるが、小円盤ユニットと大円盤ユニットとの位置合わせが困難となり結果的に作業性が悪くなるという問題がある。
【０００６】
本発明は、小円盤体と大円盤体とからなる円盤体を有するシンボル表示装置の場合に、装置自体を容易に遊技機内部に組み付けることができるようにした遊技機用シンボル表示装置を提供することを目的とする。
【０００７】
【課題を解決するための手段】
上記目的を達成するために、本発明の遊技機用シンボル表示装置は、少なくとも１個のシンボルが配置された表示面を備えた円盤が複数設けられ、これら円盤を同軸に配置したものであり、前記円盤のそれぞれに設けられる複数の回転軸を、それぞれ外径が異なるように、且つ、外径が最も小さい回転軸を除く他の回転軸を中空から形成し、この中空から形成された回転軸に外径の小さい回転軸を挿通させることにより複数の円盤を同軸に保持し、複数の円盤の表示面のそれぞれを表示するようにしたものである。なお、シンボルとは図柄、記号、符号、数字、模様、色彩、背景絵、及びこれらと類似のものを含み、また、このシンボルの大きさや形状及び配置される種類や個数は実施形態に限定されるものではない。
【０００８】
また、前記円盤を回転させるためのステッピングモータと、このステッピングモータの駆動力により回転する円盤の回転速度を減速させるための駆動減速手段とを設け、前記円盤の回転するステップ角度を小さくして、きめ細かな円盤の回転としたことが好ましい。この場合、例えばステッピングモータを前記円盤の個数分設けて、これらステッピングモータの少なくとも１つに駆動減速手段を設けるようにしたり、ステッピングモータのそれぞれに駆動減速手段を設けるようにしたり、ステッピングモータ１つで複数の円盤を回転させる場合には、複数の円盤のいずれかの回転速度を減速させるため駆動減速手段を設けることが挙げられる。また、前記駆動減速手段を、外径の異なる複数のプーリから構成したことが好ましい。また、前記駆動減速手段を、歯数の異なる複数の歯車から構成したことが好ましい。
【０００９】
なお、前記表示面を備えた複数の円盤と、これら円盤のぞれぞれに取り付けられる複数の回転軸と、前記円盤を回転させるためのステッピングモータと、円盤の回転速度を減速させるための駆動減速手段とが一体化されたユニットとして構成されることが好ましい。
【００１０】
【発明の実施の形態】
図１に示すように、スロットマシン１０には、機械式リールを３個備えたシンボル表示装置が３体、第１リールユニット１１、第２リールユニット１２、第３リールユニット１３として組み込まれている。各リールユニットの前面には、リール数に対応した表示窓１５が形成された前面パネル１６が設けられている。これにより、各リールのシンボルが各表示窓を通して上下方向に３個ずつ観察できるようになっている。
【００１１】
前面パネル１６の下部には、コイン投入口１９、操作パネル２０、コイン受け皿２１が設けられ、前面パネル１６の上部には配当決定装置として組み込まれる本発明のシンボル表示装置３０が設けられている。また、スロットマシン１０の側面にはスタートレバー２２が設けられている。なお、配当決定装置として組み込まれるシンボル表示装置３０は、その前面をガラス扉２４により被覆されている。
【００１２】
このスロットマシン１０では、第１〜第３リールユニット１１〜１３のそれぞれで入賞の有無が決定される。なお、各リールユニットには予め入賞ラインが所定本数設けられており、ベット数に応じた入賞ラインが各リールユニットで有効化されるようになっている。そして、スタートレバー２２の操作によりゲームが開始され、有効化された入賞ライン上に所定のシンボルの組み合わせが揃う場合や、所定のシンボルが入賞ライン上に停止した場合に当たりとなり、当たりの種類に応じた配当枚数のコインがコイン受け皿２１に払い出される。また、例えばビッグトリガー役を構成するシンボルの組み合わせが有効化された入賞ライン上に揃った場合に、シンボル表示装置３０が作動する。なお、各リールユニットのリールに配列されるシンボルの種類、数、配列順序や入賞ラインの本数については記載しないが、ゲーム性を考慮して、適宜設定することが可能である。また、シンボル表示装置３０の作動の契機となる条件については、ゲーム性を考慮して適宜設定してよい。
【００１３】
シンボル表示装置３０は、例えばビックトリガー役が入賞した場合に行われるフリーゲーム（コインを投入せずに行うゲーム）の回数と、このフリーゲームで当たりを得た場合の配当コインの倍率とをそれぞれ決定するために作動する。このシンボル表示装置３０は、まず第１表示面３１が回転し、所定時間後に停止する。これを受けて、第２表示面３２が回転し、第１表示面３１と同様に、所定時間後に停止する。そして、指標２５により指し示された第１表示面３１の数字及び第２表示面３２の数字が、この後に実行されるフリーゲームの回数と、フリーゲームで当たりを得た場合の配当コインの倍率となる。
【００１４】
図２に示すように、配当決定装置として用いられるシンボル表示装置３０は、第１表示面３１が形成された第１表示回転盤３３、第２表示面３２が形成された第２表示回転盤３４の２枚の表示回転盤からなる表示部３５と、これら表示回転盤３３，３４をそれぞれ駆動させるための回転盤駆動部３６とが１つのユニットとして構成されている。なお、シンボル表示装置３０は、ユニット支持板７２によりスロットマシン１０の内部に組み付けられる。
【００１５】
第１表示回転盤３３に形成される第１表示面３１は、所定個数に区分けされており、これら区分けされた領域の１つ１つには、ビックトリガー役が得られた時に行われるフリーゲームの回数となるシンボル（例えば、１，５，７，１０，２０・・・）が描かれている。第２表示回転盤３４は、第１表示回転盤３３よりも外径が大きく形成され、且つその中央に、後述する第１回転盤用フランジ４２が挿通される開口３４ａが形成されている。なお、第２表示回転盤３４に形成される第２表示面３２は、第１表示面３１と重なり合わないように形成されている。この第２表示面３２も、第１表示面３１と同様に所定個数に区分けされており、区分けされた領域の１つ１つには、フリーゲームで入賞した場合の配当コインの倍率となるシンボル（例えば、×１，×３，×５，×７・・・）が描かれている。なお、フリーゲームの回数及び配当倍率として描く絵柄は、記号、符号、数字、模様、キャラクターなどを用いて適宜に設定してよい。
【００１６】
図３〜図６は、回転盤駆動部３６を順に分解して示す斜視図、図７はシンボル表示装置の断面図を示すものである。回転盤駆動部３６は、第１回転盤用フランジ４０、第２回転盤用フランジ４１、第１回転軸４２、第２回転軸４３、カラー４４、ベアリング４５，４６、軸受け部材４７，４８、軸受け用ブラケット４９，５０、ステッピングモータ５１，５２、モータ取り付け用ブラケット５３，５４、モータ側プーリ５５、回転軸側プーリ５６、歯付きベルト５７、カップリング５８、第１信号片５９、第２信号片６０、第１表示面位置検出センサ６１、第２表示面位置検出センサ６２、保持部材６３，６４から構成される。
【００１７】
図２及び図３に示すように、第１回転盤用フランジ４０は、第１表示回転盤３３の後面側にネジ７０により固定される。この第１回転盤用フランジ４０には開口４０ａが形成されており、この開口４０ａに、ベアリング４５、カラー４４が挿通された第１回転軸４２の一端が固着される。第２回転盤用フランジ４１は、第２表示回転盤３４の後面にネジ７１により固定される。第２回転盤用フランジ４１には凹部４１ａが形成されており、第１回転盤用フランジ４０の一部が位置する。この第２回転盤用フランジ４１には開口４１ｂが形成されており、第１回転軸４２が挿通されるとともに、第２回転軸４３の一端が固着される（図７参照）。
【００１８】
第２回転盤用フランジ４１には第２信号片６０が固着されており、その回転が第２表示面位置検出センサ６２で監視されている。第２表示回転盤３４が一回転するごとに第２表示面位置検出センサ６２からリセット信号が出力される。なお、第２表示面位置検出センサ６２は、軸受け用ブラケット４９に固着される保持部材６４に固定される。なお、符号７８は保持部材６４を固定するためのネジである。
【００１９】
第１回転軸４２は、第１表示回転盤３３を回転させるために設けられている。この第１回転軸４２は、第２回転軸４３に挿通された後に、その一端側（第１回転盤用フランジ４０に固着される端部側）からベアリング４５、カラー４４の順で挿通され、その他端側からベアリング４６が挿通される。
【００２０】
第２回転軸５６は円筒形状から形成されており、その両端には、第１回転軸４３の軸受け部材となるベアリング４５，４６が取り付けられる。この第２回転軸５６の一端には、上述したように第２回転盤用フランジ４１が、その他端側には回転軸側プーリ５６がそれぞれ固着される。
【００２１】
ベアリング４５，４６は、第１回転軸４２の軸受け部材として機能するとともに、第１回転軸４２と第２回転軸５３とが同軸となるように第１回転軸４２を保持する。カラー４４は、第１回転軸４２に取り付けられる第１回転盤用フランジ４０の後面とベアリング４５とに挟持される（図７参照）。これによりカラー４４は、ベアリング４５の押さえ部材として機能する。
【００２２】
図４に示すように、軸受け部材４７，４８は、第２回転軸４３を挿通させるための開口４７ａ，４８ａが形成され、これら開口４７ａ，４８ａと同軸となるように、ベアリング４７ｂ，４８ｂがそれぞれ設けられている。軸受け部材４７，４８は、軸受け用ブラケット４９，５０にそれぞれネジ７３により固定される。
【００２３】
軸受け用ブラケット４９，５０は、固定された軸受け部材４７，４８を所定位置に保持するためのものである。これら軸受け用ブラケット４９，５０には、開口４９ａ，５０ａがそれぞれ形成されており、第２回転軸４３がこれら開口４９ａ，５０ａに挿通される。なお、これら軸受け用ブラケット４９，５０は軸受け部材４７，４８が取り付けられた後に、ネジ７４及びナット７５によりユニット支持板７２に共締めされる。
【００２４】
図５及び図６に示すように、ステッピングモータ５１，５２はモータ取付用ブラケット５３，５４にそれぞれ組み付けられた状態で、ユニット支持板７２にネジ７６，７７によりそれぞれ固定される。なお、モータ取付用ブラケット５４は、ユニット支持板７２の開口７２ａに挿通された状態で、ユニット支持軸７２に固定される。また、モータ取付用ブラケット５４には長穴５４ａが設けられており、この長穴５４ａは、後述する歯付きベルト５７の張りの度合いを調整する調整穴となる。ステッピングモータ５１の駆動軸５１ａにはカップリング５８が、ステッピングモータ５２の駆動軸５２ａにはモータ側プーリ５５が、それぞれ固定される。なお、符号７２ｂは、第２回転軸４３が挿通される開口である。
【００２５】
カップリング５８は、例えば同軸で且つ内径の異なる円筒が組み合わされた円筒形状をしており、その一端側から第１回転軸４２が、他端側からステッピングモータ５１の駆動軸５１ａがそれぞれ取り付けられる（図７参照）。これにより、ステッピングモータ５１の駆動とともに、第１表示回転盤３３が回転する。
【００２６】
カップリング５８には基準位置を示す第１信号片５９が取り付けられ、その回転が第１表示面位置検出センサ６１で監視されている。そして、第１表示回転盤３３が一回転するごとに第１表示面位置検出センサ６１からリセット信号が出力される。なお、第１表示面位置検出センサ６１は、モータ取付用ブラケット５３に固定される保持部材６３に取り付けられる。
【００２７】
第２回転軸４３に固定される回転軸側プーリ５６及びステッピングモータ５２の駆動軸５２ａに取り付けられるモータ側プーリ５５とには歯付きベルト５７が巻き付けられる。これにより、ステッピングモータ５２からの駆動力が歯付きベルト５７を介して回転軸側プーリ５６へと伝達される。ステッピングモータ５２に固着されるモータ側プーリ５５の外径は回転軸側プーリ５６の外径よりも小さく形成されており、第２回転軸４３の回転速度が減速されることになる。これにより、第２表示回転板３４の回転は、ステッピングモータ５２の単位ステップ角度よりも小さい角度の回転となり、第２表示回転盤３４の回転をきめ細かい回転とすることができるとともに、第２表示回転板３４の低速回転時においても違和感を生じさせることがない。
【００２８】
次に、本実施形態の作用について説明する。上記円盤型のシンボル表示装置３０を組み立てる際には、まず、駆動軸５１ａに第１信号片５９が固着されたカップリング５８を取り付けたステッピングモータ５１をモータ取付用ブラケット５３に、駆動軸５２ａにモータ側プーリ５５を固着したステッピングモータ５２をモータ取付用ブラケット５４にそれぞれ組み付ける。その後、モータ取付用ブラケット５３に第１表示面位置検出センサ６１が固着された保持部材６３を組み付ける。図４及び図５に示すように、ユニット支持板７２に、軸受け部材４７，４８がネジ７３により固定された軸受け用ブラケット４９，５０を、ネジ７４及びナット７５により共締め固定する。そして、第２信号片６２が取り付けられた保持部材６４を軸受け用ブラケット４９にネジ７８により固定する。また、ステッピングモータ５２が取り付けられたモータ取付用ブラケット５４をネジ７６により所定位置に仮止めする。
【００２９】
第２回転軸４３の一端に第２回転盤用フランジ４１を固着する。第２回転盤用フランジ４１が固着された第２回転軸４３に第１回転軸４２を挿通させる。ベアリング４５，４６を第１回転軸４２に挿通させ、第２回転軸４３に取り付ける。これにより、第１回転軸４２と第２回転軸４３とが同軸に保持されることになる。
【００３０】
第１回転軸４２にカラー４４を挿通させた後に第１回転盤用フランジ４０を固定する。図６に示すように、第２回転軸４３をユニット支持板７２に固着された軸受け部材４７，４８に挿通させる。その後、第２回転軸４３の他端側に回転軸側プーリ５６を取り付け、回転軸側プーリ５６とモータ側プーリ５５に歯付きベルト５７を巻き付ける。この際、モータ取付用ブラケット５４は仮止めされているので、歯付きベルト５７が張る位置でモータ取付用ブラケット５４を固定する。
【００３１】
カップリング５８の他端側に第１回転軸４２の端部を取り付けた後に、モータ取付用ブラケット５３をユニット支持板７２に固定する。図２に示すように、最後に第２表示回転盤３４を第２回転盤用フランジ４１に、第１表示回転盤３３を第１回転盤用フランジ４０にそれぞれ固定することで、円盤型のシンボル表示装置３０が完成する。なお、第１表示回転盤３３及び第２表示回転盤３４を回転させるためのステッピングモータ５１，５２を表示回転盤３３，３４の後面側にそれぞれ配置させることができるので、シンボル表示装置自体をコンパクトにすることができる。また、各部材はユニット支持板７２に組み付けるので、作業性が向上する。
【００３２】
このようにして組み立てられた円盤型のシンボル表示装置３０は、配当決定装置として、第１〜第３リールユニット１１〜１３及びメダル払い出し器等の装置が組み付けられたスロットマシン１０の上部に組み付けられる。この際、シンボル表示装置３０は、ユニット支持板７２をスロットマシン１０の所定位置に取り付けるだけでよいので、組み付け作業の効率を向上させることが可能となる。また、シンボル表示装置３０の取り付け位置はスロットマシン１０の内部のみとなるので、ガラス扉２４の形状を自由に設計することができる。
【００３３】
なお、ゲームの際に特定の入賞を得た場合、第１表示回転盤３３及び第２表示回転盤３４は所定のタイミングでそれぞれ回転する。この際、モータ側プーリ５５と回転軸側プーリ５６とにより、第２表示回転盤３４の回転速度がステッピングモータ５２の回転速度に対して減速されるように設けたから、第２表示回転盤３４の回転するステップ角度を小さくすることができ、第２表示回転盤３４の回転をきめ細かな回転とすることが可能となる。
【００３４】
本実施形態では、円盤型のシンボル表示装置３０を配当決定装置としてスロットマシンに組み込んだが、これに限定させる必要はなく、図８に示すように、ルーレット遊技機８０に用いられるシンボル表示装置８１として組み込んでもよい。また、本発明のシンボル表示装置をスロットマシンの上部に組み込んだ場合の利用方法は、本実施形態に限定されるものではなく、ゲーム性等を考慮して適宜利用方法を設定してよい。
【００３５】
本実施形態では、第１表示回転盤及び第２表示回転盤からなるシンボル表示装置の例を取り上げたが、これに限定する必要はなく、例えば、第１〜第３表示回転板からなるシンボル表示装置に利用してもよい。この場合、図９に示すように、第１〜第３回転軸８５〜８７を設け、第２回転軸８６及び第３回転軸８７を円筒型の回転軸から形成する。そして、第１回転軸８５を第２回転軸８６に挿通し、ベアリング８８，８９を第２回転軸８６の両端に取り付けることで、第１回転軸８５は第２回転軸８６に対して同軸に保持される。同様にして、第３回転軸８７に第２回転軸８６を挿通した後にベアリング９０，９１を第３回転軸８７の両端に取り付けることで、第２回転軸８６は第３回転軸８７に対して同軸となる。これにより、第１〜第３回転軸８５〜８７が同軸となる。その後、第１〜第３回転軸８５〜８７の一端に第１〜第３回転盤用フランジ９２〜９４をそれぞれ取り付けた後に、第１〜第３表示回転盤９５〜９７を取り付けることで、第１〜第３表示回転盤９５〜９７は、それぞれ個別に且つ同軸で回転させることが可能となる。
【００３６】
本実施形態では、第１表示回転板３３を回転させるステッピングモータ５１を、第１回転軸４２と同軸に配置して、第１回転軸４２とステッピングモータ５１の駆動軸５１ａとをカップリング５８により接続したが、これに限定する必要はなく、接続方法は適宜設定してよい。以下、構成上同じ部材となる場合には、本実施形態と同じ符号を用いて説明する。この場合、図１０に示すように、例えば第１回転軸４２の一端と、ステッピングモータ１００の駆動軸１００ａとのそれぞれに、回転側プーリ１０１、モータ側プーリ１０２を取り付け、歯付きベルト１０３によりステッピングモータ１００の駆動力を第１回転軸４２に伝達するようにする。また、第１回転軸４２に第１信号片１０４を取り付ける。この場合、回転側プーリ１０１はモータ側プーリ１０２よりも外径が大きく形成されており、第１表示回転盤３３の回転はステッピングモータ１００の回転に対して減速されるので、第２表示回転盤３４だけでなく、第１表示回転盤３３の回転をきめ細かいものとすることができる。また、シンボル表示装置自体の奥行きを短くすることができるので、シンボル表示装置をコンパクトにすることが可能である。
【００３７】
本実施形態では、第２回転軸４３に設けられた回転軸側プーリ５６と、ステッピングモータ５２の駆動軸５２ａに取り付けられたモータ側プーリ５５とに歯付きベルト５７を巻き付けて、ステッピングモータ５２の駆動力を第２回転軸４３に伝達させるようにしたが、これに限定する必要はなく、例えば、プーリの代わりにギアを用いてもよい。また、図１１に示すように、第２表示回転盤３４の外周面にギア１１０を形成するとともに、ステッピングモータ１１１の駆動軸１１１ａにギア１１２を設ける。ギア１１０及びギア１１２が噛み合うようにステッピングモータ１１１をモータ取付用ブラケット１１３を介してユニット支持板７２に取り付ける。この場合、ステッピングモータ１１１の駆動力は第２回転軸４３を介さずに伝達される。なお、第２回転軸４３は、第２表示回転盤３４と第１表示回転盤３３とを同軸に保持するための保持部材として機能する。
【００３８】
【発明の効果】
以上のように、本発明の遊技機用シンボル表示装置によれば、円盤のそれぞれに設けられる複数の回転軸を、それぞれ外径が異なるように、且つ外径が最も小さくなる回転軸以外の回転軸を中空から形成し、中空となる回転軸に外径の小さい回転軸を挿通させることにより、複数の円盤を同軸に保持させ、複数の円盤の表示面のそれぞれを表示させるようにしたから、複数の円盤のそれぞれが同軸上に回転するので、組み付け時に複数の円盤の位置調整を簡単に行うことができる。
【００３９】
また、前記円盤を回転させるためのステッピングモータと、このステッピングモータの駆動力により回転する円盤の回転速度を減速させるための駆動減速手段とを設け、前記円盤の回転するステップ角度を小さくしてきめ細かな円盤の回転としたから、低速回転時の円盤の回転により、遊技者に違和感を与えることがない。
【００４０】
また、本実施形態の遊技機用シンボル装置を、一体化されたユニットとして構成したから、装置をコンパクト化することができる。また、遊技機へは、ユニット毎取り付けることができるので、作業性を向上させることが可能となる。また、遊技機の内部に取り付けるので、その前面に設けられる扉の形状等のバリエーションを多様化させることができる。
【図面の簡単な説明】
【図１】本発明を実施したスロットマシンの外観を示す正面図である。
【図２】シンボル表示装置の構成を示す斜視図である。
【図３】回転盤用フランジ及び回転軸の構成を示す斜視図である。
【図４】軸受け部材、軸受け用ブラケット近傍の構成を分解して示す斜視図である。
【図５】第２回転軸を回転させるためのステッピングモータ近傍の構成を分解して示す斜視図である。
【図６】第１回転軸を回転させるためのステッピングモータ近傍の構成を分解して示す斜視図である。
【図７】シンボル表示装置の構成を示す断面図である。
【図８】シンボル表示装置をルーレット遊技機に用いた場合のルーレット遊技機の外観を示す斜視図である。
【図９】第１〜第３表示回転盤を有する場合の回転軸近傍の構成を分解して示す斜視図である。
【図１０】第１回転軸をプーリを用いて回転させる場合の構成を示す断面図である。
【図１１】第２表示回転盤の外周部にギアを形成した場合の構成を示す断面図である。
【符号の説明】
１０　スロットマシン
３０　シンボル表示装置
３１　第１表示面
３２　第２表示面
３３　第１表示回転盤
３４　第２表示回転盤
４２　第１回転軸
４３　第２回転軸
４５，４６　ベアリング
４７，４８　軸受け部材
４９，５０　軸受け用ブラケット
５１，５２　ステッピングモータ
５５　モータ側プーリ
５６　回転側プーリ
５７　歯付きベルト
７２　ユニット支持板
【図１】
2004057374.tif 000003
【図２】
2004057374.tif 000004
【図３】
2004057374.tif 000005
【図４】
2004057374.tif 000006
【図５】
2004057374.tif 000007
【図６】
2004057374.tif 000008
【図７】
2004057374.tif 000009
【図８】
2004057374.tif 000010
【図９】
2004057374.tif 000011
【図１０】
2004057374.tif 000012
【図１１】
2004057374.tif 000013